(57)【要約】  【課題】  小型で、高音圧、定指向性のコーンタイプのスピーカ装置を提供する。  【解決手段】  スピーカ装置１は、エンクロージャ３と、エンクロージャ３に前方を向けて並んで配置された複数のコーンスピーカユニット５ａ、５ｂと、複数のコーンスピーカユニット５ａ、５ｂの前側に設けられたホーン部７とを備える。ホーン部７は、複数のコーンスピーカユニット５ａ、５ｂから前方に延びてから内側後方折り返されて複数のコーンスピーカユニット５ａ、５ｂの間の合流箇所２５で互いに合流する複数のユニット別折返しホーン部２１ａ、２１ｂと、合流箇所２５から複数のユニット別折返しホーン部２１ａ、２１ｂの間を通り前方へ延びる合成ホーン部２３とを有する。【選択図】  図１
2007067960.tif 000002
【特許請求の範囲】
【請求項１】
エンクロージャと、
前記エンクロージャに前方を向けて並んで配置された複数のコーンスピーカユニットと、
前記複数のコーンスピーカユニットの前側に設けられたホーン部とを備え、
前記ホーン部は、前記複数のコーンスピーカユニットから前方に延びてから内側後方に折り返されて前記複数のコーンスピーカユニットの間の合流箇所で互いに合流する複数のユニット別折返しホーン部と、前記合流箇所から前記複数のユニット別折返しホーン部の間を通り前方へ延びる合成ホーン部とを有することを特徴とするスピーカ装置。
【請求項２】
前記複数のコーンスピーカユニットの外側にそれぞれ設けられ、前方かつ内側に向けて延びる複数の外側傾斜壁と、
前記複数のコーンスピーカユニットの内側にそれぞれ設けられ、前方かつ外側に向けて延びる複数の第１内側傾斜壁と、
前記複数の第１内側傾斜壁よりも内側に隙間を開けて設けられ、前方かつ外側に向けて延び、前記複数の外側傾斜壁と前側でつながった複数の第２内側傾斜壁と、
を備えたことを特徴とする請求項１に記載のスピーカ装置。
【請求項３】
前記複数のコーンスピーカユニットの間で前方に延びる仕切壁を備え、前記複数のユニット別折返しホーンは前記仕切壁によって前方に曲げられてから合流することを特徴とする請求項２に記載のスピーカ装置。
【発明の詳細な説明】
【技術分野】
【０００１】
本発明は、複数のコーンスピーカユニットが並んだスピーカ装置に関する。
【背景技術】
【０００２】
従来、スピーカ装置の一つの種類として、コーン付きのスピーカ装置が知られている。この種のスピーカ装置はコーンスピーカユニットを備えており、コーンスピーカユニットはドライバとコーン紙で構成されている。複数のコーンスピーカユニットがエンクロージャに配列されることもある。このようなスピーカ装置は主に２００〜２ｋＨｚ程度の中低域で用いられる。
【０００３】
また、特許文献１は、複数のスピーカユニットをホーンで合成したスピーカ装置を開示している。ホーンが入口側で２つに分岐しており、そして、２つのスピーカユニットが２つの分岐部の入口にそれぞれ取り付けられている。スピーカユニットの数が増えることにより音圧が増大し、大音量が得られる。
【特許文献１】特開平６−７８３８９号公報（第２−３ページ、図１）
【発明の開示】
【発明が解決しようとする課題】
【０００４】
しかしながら、従来のコーンタイプのスピーカ装置においては、コーンスピーカユニット間にある程度の距離が必要であるために、スピーカユニット間の位相差が生じ、音圧が低下し、指向性が一定になりにくいという問題があった。また、特許文献１のスピーカ装置では、ホーンが前後方向に長く、スピーカ装置が大型化するという問題がある。コーンタイプのスピーカ装置としては、小型で、高音圧で、定指向性を持つといったことが求められる。
【０００５】
本発明は、従来の問題を解決するためになされたもので、その目的は、小型で高音圧、定指向性のスピーカ装置を提供することにある。
【課題を解決するための手段】
【０００６】
本発明のスピーカ装置は、エンクロージャと、前記エンクロージャに前方を向けて並んで配置された複数のコーンスピーカユニットと、前記複数のコーンスピーカユニットの前側に設けられたホーン部とを備え、前記ホーン部は、前記複数のコーンスピーカユニットから前方に延びてから内側後方に折り返されて前記複数のコーンスピーカユニットの間の合流箇所で互いに合流する複数のユニット別折返しホーン部と、前記合流箇所から前記複数のユニット別折返しホーン部の間を通り前方へ延びる合成ホーン部とを有している。
【０００７】
この構成により、複数のコーンスピーカユニットの前にホーン部を設け、ホーン部に複数のユニット別折返しホーンとその間の合成ホーン部を設けたので、複数のコーンスピーカユニットの合成により高音圧、定指向性のスピーカ装置を提供できる。また、ホーン部が折り返されているので、ホーン部の前後方向の長さを小さくでき、スピーカ装置を小型にできる。
【０００８】
本発明のスピーカ装置は、前記複数のコーンスピーカユニットの外側にそれぞれ設けられ、前方かつ内側に向けて延びる複数の外側傾斜壁と、前記複数のコーンスピーカユニットの内側にそれぞれ設けられ、前方かつ外側に向けて延びる複数の第１内側傾斜壁と、前記複数の第１内側傾斜壁よりも内側に隙間を開けて設けられ、前方かつ外側に向けて延び、前記複数の外側傾斜壁と前側でつながった複数の第２内側傾斜壁と、を備えている。
【０００９】
この構成により、各ユニット別折返しホーン部が、外側傾斜壁と第１内側傾斜壁との間の第１ゾーンと、第１内側傾斜壁と第２内側傾斜壁の間の第２ゾーンとで構成される。合成ホーン部は、両側の第２内側傾斜壁の間のゾーンで構成される。したがって、簡単な構成でもってユニット別折返しホーン部と合成ホーン部とを含むホーン部を提供できる。また、第１ゾーンが前方に行くほど絞られる形状を有しており、これにより位相調整機能が得られて、音質を向上できる。
【００１０】
本発明のスピーカ装置は、前記複数のコーンスピーカユニットの間で前方に延びる仕切壁を備え、前記複数のユニット別折返しホーンは前記仕切壁によって前方に曲げられてから合流する。
【００１１】
この構成により、ユニット別折返しホーン部同士の間で音圧が伝わるのを防ぎ、音圧を効果的に増大できる。
【発明の効果】
【００１２】
本発明は、複数のコーンスピーカユニットの前にホーン部を設け、ホーン部に複数のユニット別折返しホーンとその間の合成ホーン部を設けたことにより、小型化可能で、高音圧、定指向性といった効果を有するスピーカ装置を提供できる。
【発明を実施するための最良の形態】
【００１３】
以下、本発明の実施の形態に係るスピーカ装置について、図面を用いて説明する。
【００１４】
本発明の実施の形態に係るスピーカ装置を図１〜図４に示す。図１、図２は、コーンスピーカユニット中心を通る横断面図および縦断面図である。図３、図４は正面図および斜視図である。図１、図２では、スピーカ装置が図３の線ＡＡおよび線ＢＢで切断されている。断面の詳細部分の構成は省略され、斜線で示されている。
【００１５】
以下の説明では、図１に示されるように、スピーカ装置全体の中心に近い側を、「内側」という。また、スピーカ装置全体の左右端に近い側を、「外側」という。つまり、「内側」は、左右のコーンスピーカユニットの中央に近い側であり、「外側」は、左右のコーンスピーカユニットの中央から遠い側である。その他の方向（前後、左右、上下）は図１〜図４に示されている通りである。
【００１６】
図示のように、スピーカ装置１は、エンクロージャ３と、エンクロージャ３に前方を向けて並んで配置された４つのコーンスピーカユニット５ａ、５ｂ、５ｃ、５ｄと、コーンスピーカユニット５ａ、５ｂ、５ｃ、５ｄの前側に設けられたホーン部７とを備えている。
【００１７】
エンクロージャ３は、木製の略直方体の箱である。コーンスピーカユニット５ａ、５ｂ、５ｃ、５ｄは、２００〜２ｋＨｚ程度の中域用であり、ドライバとコーン紙で構成されている。コーンスピーカユニット５ａ、５ｂ、５ｃ、５ｄは、図示されないブラケット等でエンクロージャ３に、前方を向けて取り付けられている。図示のように、４つのコーンスピーカユニット５ａ、５ｂ、５ｃ、５ｄは、横方向および縦方向に並んでおり、それぞれ、左上、右上、左下、右下に配置されている。
【００１８】
ホーン部７は、エンクロージャ３の前面に取り付けられている。ホーン部７は、４つのコーンスピーカユニット５ａ、５ｂ、５ｃ、５ｄの前側に、これらコーンスピーカユニット５ａ、５ｂ、５ｃ、５ｄを覆うように配置されている。エンクロージャ３の上板および下板が前方に延びて、ホーン部７の上下を覆っている。ホーン部７は、これら上下の板の延長部分にも取り付けられている。ホーン部７は、これら上下の板の間に上下方向に立てられた複数枚の木製の板で構成されている。
【００１９】
ホーン部７は、以下に説明するようにして、複数のコーンスピーカユニットから出力される音を合成する機能を持つ。本実施の形態において、ホーン部７は、上側のコーンスピーカユニット５ａ、５ｂの音を合成し、また、下側のコーンスピーカユニット５ｃ、５ｄの音を合成する。すなわち、上側のコーンスピーカユニット５ａ、５ｂが本発明の複数のコーンスピーカユニットに該当し、また、下側のコーンスピーカユニット５ｃ、５ｄが本発明の複数のコーンスピーカユニットに該当する。
【００２０】
そこで、以下では、説明を簡略にするために、主として、上側のコーンスピーカユニット５ａ、５ｂとの位置関係に着目してホーン部７の構成を説明する。ただし、下側のコーンスピーカユニット５ｃ、５ｄとの位置関係においてもホーン部７は同様の構成を有している。
【００２１】
ホーン部７は、上述したように上下方向に立てられた複数枚の板で構成されている。ホーン部７の断面形状は、左右対称であって、高さ方向に均一である。図１に示されるように、ホーン部７は、左右の外側傾斜壁１１ａ、１１ｂおよび第１内側傾斜壁１３ａ、１３ｂと、第１内側傾斜壁１３ａ、１３ｂよりさらに内側の第２内側傾斜壁１５ａ、１５ｂと、中央の仕切壁１７とを備えている。
【００２２】
左右の外側傾斜壁１１ａ、１１ｂは、左右のコーンスピーカユニット５ａ、５ｂの外側にそれぞれ設けられている。外側傾斜壁１１ａ、１１ｂは、コーンスピーカユニット５ａ、５ｂの外側端部から始まり、前方かつ内側に向けて延び、これにより、コーンスピーカユニット５ａ、５ｂの前へと延びている。各外側傾斜壁１１ａ、１１ｂの終端は、各コーンスピーカユニット５ａ、５ｂの中心部の前方に位置している。
【００２３】
左右の第１内側傾斜壁１３ａ、１３ｂは、左右のコーンスピーカユニット５ａ、５ｂの内側にそれぞれ設けられている。第１内側傾斜壁１３ａ、１３ｂは、コーンスピーカユニット５ａ、５ｂの内側端部から始まり、前方かつ外側に向けて延び、これにより、コーンスピーカユニット５ａ、５ｂの前へと延びている。第１内側傾斜壁１３ａ、１３ｂの終端は、外側傾斜壁１１ａ、１１ｂと比べると、コーンスピーカユニット５ａ、５ｂに近い場所にある。
【００２４】
左右の第２内側傾斜壁１５ａ、１５ｂは、それぞれ、第１内側傾斜壁１３ａ、１３ｂよりも内側にあり、第１内側傾斜壁１３ａ、１３ｂと隙間を開けて設けられている。第２内側傾斜壁１５ａ、１５ｂは、前方かつ外側に向けて延びて、外側傾斜壁１１ａ、１１ｂの前端につながっている。第２内側傾斜壁１５ａ、１５ｂの他端はエンクロージャ３まで到達することなく終わっている。
【００２５】
第２内側傾斜壁１５ａ、１５ｂの形状は下記のよう説明されてもよい。すなわち、外側傾斜壁１１ａ、１１ｂがコーンスピーカユニット５ａ、５ｂの中心部の前方で内側後方に屈曲して、第１内側傾斜壁１３ａ、１３ｂの内側で斜めに延びて、第２内側傾斜壁１５ａ、１５ｂを形成している。第２内側傾斜壁１５ａ、１５ｂは、コーンスピーカユニット５ａ、５ｂの間のエンクロージャ前面部分に向かって延びており、ただし、エンクロージャ３に達する前に終わっている。
【００２６】
また、より詳細には、外側傾斜壁１１ａ、１１ｂと第２内側傾斜壁１５ａ、１５ｂは、横方向の連結部を介して連結されている。また、第２内側傾斜壁１５ａ、１５ｂの隙間がフレア状に広がるように、第２内側傾斜壁１５ａ、１５ｂは途中で屈曲している。
【００２７】
仕切壁１７は、図示のように、エンクロージャ３の中央（コーンスピーカユニット５ａ、５ｂの中間の位置）にあり、エンクロージャ３から前方に延びている。仕切壁１７は、比較的低い壁である。
【００２８】
以上の構成により、ホーン部７は、コーンスピーカユニット５ａ、５ｂからそれぞれ延びる２つのユニット別折返しホーン部２１ａ、２１ｂと、ユニット別折返しホーン２１ａ、２１ｂが合流することにより形成された合成ホーン部２３とを実現している。
【００２９】
ユニット別折返しホーン部２１ａ、２１ｂは、コーンスピーカユニット５ａ、５ｂから前方に延びてから内側後方に折り返され、コーンスピーカユニット５ａ、５ｂの間の合流箇所２５へ至って互いに合流する。より詳細には、ユニット別折返しホーン部２１ａ、２１ｂは、第１ゾーン３１ａ、３１ｂと、それらに続く第２ゾーン３３ａ、３３ｂで構成される。
【００３０】
第１ゾーン３１ａ、３１ｂは、外側傾斜壁１１ａ、１１ｂと第１内側傾斜壁１３ａ、１３ｂで囲まれる領域である。第１ゾーン３１ａ、３１ｂは、前方に行くほど狭くなる。ユニット別折返しホーン部２１ａ、２１ｂが第１ゾーン３１ａ、３１ｂの前方の折返し点で内側後方に折り返されて、第２ゾーン３３ａ、３３ｂが始まる。
【００３１】
第２ゾーン３３ａ、３３ｂは、第１内側傾斜壁１３ａ、１３ｂと第２内側傾斜壁１５ａ、１５ｂで囲まれる領域である。第２ゾーン３３ａ、３３ｂは、第１ゾーン３１ａ、３１ｂと合流箇所２５を連結する通路（音道）として機能する。
【００３２】
ユニット別折返しホーン部２１ａ、２１ｂは、第２ゾーン３３ａ、３３ｂの終わりで仕切壁１７により前方に曲げられて、合流箇所２５に至り、合流箇所２５で合流する。このように、ホーン部７は、合流箇所付近に２回目の折返し構造を有している。
【００３３】
合成ホーン部２３は、両側の第２内側傾斜壁１５ａ、１５ｂの間の領域（空間）である。合成ホーン部２３は合流箇所２５から始まり、両側のユニット別折返しホーン部２１ａ、２１ｂの間を前方に延びている。第２内側傾斜壁１５ａ、１５ｂが前方外側に向けて傾斜しているので、合成ホーン部２３は、前方に行くほどフレア状に広がっており、ホーン出口としての適切な形状を有している。
【００３４】
以上に本実施の形態に係るスピーカ装置１の構成を説明した。次に、スピーカ装置１の動作を説明する。全体の動作としては、コーンスピーカユニット５ａ、５ｂが音を出すと、音がユニット別折返しホーン２１ａ、２１ｂを通り、合流箇所２５で合流して合流ホーン２３を通り、前方に放射される。
【００３５】
コーンスピーカユニット５ａ、５ｂの前部では、折返し前の第１ゾーン３１ａ、３１ｂが前方に行くほど狭まる。これにより、位相がずれた音の伝達が制限されて、好適な位相調整が行われる。ここでは、本実施の形態のような中域用スピーカで好ましい位相調整効果が得られる。位相調整後の音は、１つ目の折り返し点で折り返されて、第２ゾーン３３ａ、３３ｂを進む。そして、仕切壁１７で２回目の折返しが行われて、音が前方に向かう。
【００３６】
仕切壁１７により、２つのユニット別折返しホーン部２１ａ、２１ｂの音道方向が前方に向けられて、揃った方向を向き、合流箇所２５に至る。仕切壁１７は、２つのユニット別折返しホーン部２１ａ、２１ｂ同士の間で音圧が伝わるのを防ぎ、スピーカ装置３の音圧低減を防いでおり、これにより音圧が増大する。
【００３７】
そして、２つのユニット別折返しホーン２１ａ、２１ｂの音は、合成ホーン２３で合成されて、前方に放射される。こうしてホーン部１７が、２つのコーンスピーカユニット５ａ、５ｂからの音を合成して、一つの合成ホーンから出力しており、高音圧と定指向性を実現できる。
【００３８】
ここでは、上側のコーンスピーカユニット５ａ、５ｂに着目してスピーカ動作を説明したが、下側のコーンスピーカユニット５ｃ、５ｄに関する動作も同様である。この点は、ホーン部７の断面が縦方向に均一であることからも明らかである。
【００３９】
以上に本発明の実施の形態に係るスピーカ装置１について説明した。本実施の形態によれば、複数のコーンスピーカユニット５ａ〜５ｄの前にホーン部１７を設け、ホーン部１７に複数のユニット別折返しホーン２１ａ、２１ｂとその間の合成ホーン部２３を設けたので、複数のコーンスピーカユニット５ａ〜５ｄの合成により高音圧、定指向性のスピーカ装置１を提供できる。また、ホーン部７が折り返されているので、ホーン部７の前後方向の長さを小さくでき、スピーカ装置１を小型にできる。
【００４０】
また、本実施の形態によれば、ホーン部７が上述の外側傾斜壁１１ａ、１１ｂ、第１内側傾斜壁１３ａ、１３ｂおよび第２内側傾斜壁１５ａ、１５ｂで構成されている。この構成により、各ユニット別折返しホーン部２１ａ、２１ｂが、外側傾斜壁１１ａ、１１ｂと第１内側傾斜壁１３ａ、１３ｂとの間の第１ゾーン３１ａ、３１ｂと、第１内側傾斜壁１３ａ、１３ｂと第２内側傾斜壁１５ａ、１５ｂの間の第２ゾーン３３ａ、３３ｂとで構成される。合成ホーン部２３は、両側の第２内側傾斜壁１５ａ、１５ｂの間のゾーンで構成される。したがって、簡単な構成でユニット別折返しホーン部２１ａ、２１ｂと合成ホーン部２３とを含むホーン部７を提供できる。また、第１ゾーン３１ａ、３１ｂが前方に行くほど絞られる形状を有しており、これにより位相調整機能が得られて、音質を向上できる。
【００４１】
また、本実施の形態によれば、コーンスピーカユニット５ａ、５ｂの間で、前方に仕切壁１７が延びている。ユニット別折返しホーン２１ａ、２１ｂは仕切壁１７によって前方に曲げられてから合流する。この構成により、ユニット別折返しホーン部２１ａ、２１ｂ同士の間で音圧が伝わるのを防ぎ、音圧を効果的に増大できる。
【００４２】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００４３】
以上のように、本発明にかかるスピーカ装置は、小型化可能で、高音圧および定指向性といった効果を有し、複数コーンタイプのスピーカ装置等として有用である。
【図面の簡単な説明】
【００４４】
【図１】本発明の実施の形態に係るスピーカ装置の横断面図
【図２】本発明の実施の形態に係るスピーカ装置の縦断面図
【図３】本発明の実施の形態に係るスピーカ装置の正面図
【図４】本発明の実施の形態に係るスピーカ装置の斜視図
【符号の説明】
【００４５】
１  スピーカ装置
３  エンクロージャ
５ａ、５ｂ、５ｃ、５ｄ  コーンスピーカユニット
７  ホーン部
１１ａ、１１ｂ  外側傾斜壁
１３ａ、１３ｂ  第１内側傾斜壁
１５ａ、１５ｂ  第２内側傾斜壁
１７  仕切壁
２１ａ、２１ｂ  ユニット別折返しホーン部
２３  合成ホーン部
２５  合流箇所
３１ａ、３１ｂ  第１ゾーン
３３ａ、３３ｂ  第２ゾーン
【図１】
2007067960.tif 000003
【図２】
2007067960.tif 000004
【図３】
2007067960.tif 000005
【図４】
2007067960.tif 000006